【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
シート材を内部に収容するシート収容部の内部に収容されるシート材の種別を表示するシート材種別表示装置において、
シート材の種別を示す種別マークが表示される複数の種別表示領域を表面上に備えた表示体と、該表示体の表面の一部分だけを外部から視認可能にする表示窓と、該表示体を移動させて該表示体上におけるいずれか１つの種別表示領域を選択的に該表示窓から視認可能にする表示体移動手段とを備えた種別表示部を有し、
１つのシート収容部について上記種別表示部を２つ以上配置したことを特徴とするシート材種別表示装置。
【請求項２】
請求項１のシート材種別表示装置において、
上記表示体は、外周表面上に複数の種別表示領域が周方向に配列された円筒状又は円柱状の部材であり、
上記表示体移動手段は、上記表示体を周方向に回転させるものであることを特徴とするシート材種別表示装置。
【請求項３】
請求項１のシート材種別表示装置において、
上記表示体は、外周表面上に複数の種別表示領域が周方向に配列された扇形柱状の部材であり、
上記表示体移動手段は、上記表示体を周方向に回動させるものであることを特徴とするシート材種別表示装置。
【請求項４】
請求項１乃至３のいずれか１項に記載のシート材種別表示装置において、
上記シート収容部における一部の外壁面は、該シート収容部がその内部を装置外部に露出させない非露出状態であるときに該シート収容部を備えるシート材収容装置の外壁面の一部を構成するものであり、
上記２つ以上の種別表示部における上記表示窓は、上記シート収容部の当該外壁面に形成されていることを特徴とするシート材種別表示装置。
【請求項５】
請求項１乃至４のいずれか１項に記載のシート材種別表示装置において、
上記表示体は、外周表面上に複数の種別表示領域が周方向に配列された円筒状、円柱状又は扇形柱状の部材であり、
上記表示体移動手段は、上記表示体を周方向に回転させるものであり、
上記２つ以上の種別表示部のうちの一部の種別表示部における表示体移動手段は、該２つ以上の種別表示部のうちの他の種別表示部における表示体に接続される一方向クラッチ機構であることを特徴とするシート材種別表示装置。
【請求項６】
請求項１乃至４のいずれか１項に記載のシート材種別表示装置において、
上記２つ以上の種別表示部における各表示体移動手段は、各表示体を相互に連動して移動させるものであることを特徴とするシート材種別表示装置。
【請求項７】
請求項６のシート材種別表示装置において、
上記２つ以上の種別表示部における各表示体移動手段は、シート材の種別を示す種別マークが表示された種別表示領域がいずれか１つの表示窓だけから視認可能となるように、各表示体を相互に連動して移動させることを特徴とするシート材種別表示装置。
【請求項８】
請求項１乃至７のいずれか１項に記載のシート材種別表示装置において、
上記２つ以上の種別表示部における表示窓の中から選択される１つの表示窓については表示体上の種別表示領域を視認可能な開放状態にし、残りの表示窓については表示体上の種別表示領域が視認不能な閉鎖状態にする表示窓開閉手段を有することを特徴とするシート材種別表示装置。
【請求項９】
請求項８のシート材種別表示装置において、
上記表示窓開閉手段は、選択される１つの表示窓を遮蔽せず、かつ、残りの表示窓を遮蔽する位置に、単一の遮蔽部材を移動させるものであることを特徴とするシート材種別表示装置。
【請求項１０】
請求項１乃至９のいずれか１項に記載のシート材種別表示装置において、
上記２つ以上の種別表示部は、予め決められた定型のシート材の種別を表示する種別表示部と、非定型のシート材の種別を表示する種別表示部とを含むことを特徴とするシート材種別表示装置。
【請求項１１】
請求項１乃至６のいずれか１項に記載のシート材種別表示装置において、
上記２つ以上の種別表示部における表示体の種別表示領域には、上記種別マークに代え、該種別マークの一部分を構成するマーク構成部であって、他の種別表示部におけるマーク構成部と組み合わせて１つの種別マークを構成するものが表示されており、
少なくとも１つの種別表示部における表示体の種別表示領域には、複数種類の種別マーク間で共通するマーク構成部が表示されていることを特徴とするシート材種別表示装置。
【請求項１２】
請求項１乃至１１のいずれか１項に記載のシート材種別表示装置において、
上記表示体に設けられる複数の凹部又は凸部と、
上記表示体を移動させることにより上記複数の凹部又は凸部が通過する経路上に配置され、該表示体上の各種別表示領域が上記表示窓から視認可能となる目標位置に位置したときに該複数の凹部又は凸部のいずれかに係合する係合部とを有することを特徴とするシート材種別表示装置。
【請求項１３】
請求項１２のシート材種別表示装置において、
上記複数の凹部又は凸部は、上記シート収容部がその内部を装置外部に露出させる露出状態となっているときに外部から上記表示体を移動させるための操作が可能な位置に配置されていることを特徴とするシート材種別表示装置。
【請求項１４】
請求項１乃至１３のいずれか１項に記載のシート材種別表示装置において、
上記表示体に設けられる複数の凹部又は凸部と、
上記表示体を移動させることにより上記複数の凹部又は凸部が通過する経路上に配置され、該表示体に設けられる複数の凹部又は凸部によってオン又はオフされる複数のスイッチ部とを有し、
上記複数のスイッチ部は、上記表示窓から視認可能となる種別表示領域の種類に応じてオン又はオフになるスイッチ部の組み合わせが異なるように構成されていることを特徴とするシート材種別表示装置。
【請求項１５】
請求項１乃至１４のいずれか１項に記載のシート材種別表示装置において、
上記表示窓は、その開口面積が外部側から上記表示体の表面に向けて小さくなるように構成されていることを特徴とするシート材種別表示装置。
【請求項１６】
請求項１乃至１５のいずれか１項に記載のシート材種別表示装置において、
上記表示体は、その表面が上記表示窓の外部側開口面よりも内側に位置するように配置されていることを特徴とするシート材種別表示装置。
【請求項１７】
請求項１乃至１６のいずれか１項に記載のシート材種別表示装置において、
上記表示体の表面上の種別表示領域に表示される種別マーク又はマーク構成部は、凹凸によって表現されるものであって、上記表示体と一体成形されたものであることを特徴とするシート材種別表示装置。
【請求項１８】
シート材を内部に収容するシート収容部の内部を装置外部に露出させる露出状態と、該シート収容部の内部を装置外部に露出させない非露出状態とに切り替え可能なシート材収容装置を備えた画像形成装置において、
上記シート材収容装置のシート収容部の内部に収容されるシート材の種別を表示するシート材種別表示装置として、請求項１乃至１７のいずれか１項に記載のシート材種別表示装置を用いたことを特徴とする画像形成装置。
【手続補正２】
【補正対象書類名】明細書
【補正対象項目名】００６３
【補正方法】変更
【補正の内容】
【００６３】
（態様Ｄ）
上記態様Ａ〜Ｃのいずれかの態様において、上記シート収容部における一部の外壁面４７ａは、該シート収容部がその内部を装置外部に露出させない非露出状態であるときに該シート収容部を備えるシート材収容装置の外壁面の一部を構成するものであり、上記２つ以上の種別表示部における上記表示窓１１Ａ，１１Ｂは、上記シート収容部の当該外壁面に形成されていることを特徴とする。
これによれば、シート収容部が非露出状態であるときでも、表示窓１１Ａ，１１Ｂから種別マークが見やすいので、ユーザーの視認性を向上させることができる。